(57)【要約】【課題】  難分解性有機物を含有する廃水の高度且つ有益な微生物処理を可能とさせる処理方式及び装置の実現とその提供。【解決手段】  本発明は、難分解性有機物を含有する廃水の処理系或いは微生物の生息域に微生物の固定手段を設け、通電、回転、電磁化を可能とする電極手段を配置させて配備させ、三相交流電流を通電し、その電解作用から生ずる電解鉄と上記電極手段の通電、回転、電磁化作用を上記微生物に介在させて作用させ、難分解性有機物の微生物分解機能を強めさせることで、難分解性有機物を含有する有機系廃水の高度且つ有益な処理方法及び装置を構成させている。【選択図】図３
2008119674.tif 000002
【特許請求の範囲】
【請求項１】
単体構成或いは単体複数に構成する三相交流電力の電極手段を有機系廃水の処理系或いは微生物の生息系に設け、上記三相交流電力を上記有機系廃水の処理系或いは微生物の生息系に用いて構成する微生物の生息領域と廃水の処理方式及びその装置、と上記微生物の生息領域と廃水の処理方式及びその装置に有って、有機系廃水の処理系或いは微生物の生息系に超音波を作用させ、用いる上記三相交流電力の周波数を３０Ｈｚ以上とする微生物の生息領域と廃水の処理方式及びその装置。
【請求項２】
特許請求項１に記載する微生物の生息領域と廃水の処理方式及びその装置に有って、三相交流電力の電極手段に鉄或いは電解溶解の少ない材質を用い、通電、回転及び電磁化させて構成する微生物の生息領域と廃水の処理方式及びその装置、と上記微生物の生息領域と廃水の処理方式及びその装置に有って、有機系廃水の処理系或いは微生物の生息系に微生物の固定化手段及び濾過膜或いは濾過手段を設けて構成させる微生物の生息領域と廃水の処理方式及びその装置。
【請求項３】
請求項１、２に記載する微生物の生息領域と廃水の処理方式及びその装置に有って、用いる三相交流電力を電極手段に介し半波整流させて構成する微生物の生息領域と廃水の処理方式及びその装置、と上記微生物の生息領域と廃水の処理方式及びその装置に有って、用いる三相交流電力を直流電力に変えて構成させる微生物の生息領域と廃水の処理方式及びその装置。
【発明の詳細な説明】
【技術分野】
【０００１】  本発明は微生物を用い有機系廃水に含有する難分解性有機物を高度に分解、処理させる廃水処理方式及びその装置に関する。
【背景技術】
【０００２】  従来、微生物を用いる有機系廃水の処理方式には、廃水に含有する難分解性有機物の高度な分解処理が難しいとされる課題が有った。
結果、難分解性有機物の高度な処理を可能とする活性炭吸着処理方式或いはオゾン酸化処理方式等との併用処理を強いられている状況に在り、不経済な処理方式の選択を余儀なくされている。
【発明の開示】
【発明が解決しょうとする課題】
【０００３】  微生物を用い、難分解性有機物を含有する廃水の高度且つ有益な処理を可能とさせる処理方式、装置の実現とその提供。
【問題を解決するための手段】
【０００４】  本発明は、従来の微生物を用いる廃水処理方式に関わる課題の解決を目的とし、難分解性有機物を含有する廃水の処理系或いは微生物の生息域に微生物の固定化手段を備えて微生物の生息密度を高めさせ、上記の処理系或いは生息域に通電、回転、電磁化を可能とする電極手段を複数に配置させて配備し、上記の微生物に上記の三相交流電力を作用させると共に上記電極手段の通電、回転、電磁力、電解作用から生ずる電解鉄とその作用を上記微生物に介在させて作用させ、上記微生物の難分解性有機物分解機能を高めさせる処理方式を構成させている。
【発明の効果】
【０００５】  上述したように本発明の処理方法及び装置は、難分解性有機物を含有する廃水の高度処理を可能とさせることで、従来の微生物を用いる処理方式が抱える不経済性を是正させ、処理施設建造費の約５０％程度を減少させると共に処理施設運転経費の約３０％程度を節約させることができる。
【０００６】  また本発明は、信頼性と建造実績を誇る活性汚泥処理施設の増設及び改造に適し、安価且つ容易な実施を可能にさせる他、廃水処理施設の維持、運転経費の大幅な削減を達成させることができる。
【発明の実施するための最良の形態】
【０００７】  以下、請求項の実施例について図１、２、３を参照し説明する。
【０００８】  図において、Ａは難分解性有機物を含有する廃水の処理系或いは微生物の生息領域を表示、所定な容量、領域を備えれば良い。
Ｂは廃水、廃液等の流入経路、Ｃはその処理水、処理液の排出経路を表示。
通常、好気性微生物を用いる場合は、Ａに溶存酸素を供給する空気の曝気手段を備え、嫌気性微生物を用いる場合は、Ａの外気接触領域を遮断し、発生する醗酵ガス（メタンガス）を外部に分離し燃料に使用できる。
【０００９】  Ｒ、Ｓ、Ｔは、微生物に通電する周波数３０Ｈｚ以上の三相交流電源を表し、Ｒ１、Ｓ１、Ｔ１其々は、その三相交流電源の其々をＡに接続通電させる電極手段を表示、尚各々の電極手段は挿入接触させるＡ以外に絶縁処置を施し、所定且つ必要に支持させる。
Ｒ２、Ｓ２、Ｔ２は、備えられる電極手段各々から通電され、Ａの微生物に供給される三相交流電流の各々を表す。
Ｒ３、Ｓ３、Ｔ３は、電極手段各々を回転させる電極手段の回転手段を表し、Ａとの挿入接触面を回転させる。回転数は、電極手段挿入接触面のスケールリング防止或いは抑制効果を得る程度で良い。また回転動力は、通電する三相交流電流或いは単独な外部電力を用いることも可能。
Ｒ４、Ｓ４、Ｔ４は、回転する電極手段の電磁化手段を表示し、Ａに挿入回転接触させる電極手段を電磁化させる電極手段の電磁化手段を表し、電磁化に用いる電源は、回転する電極手段に電磁コイルを設け、通電する三相交流電流或いは単独な外部電源を用いても良い。
電極手段Ｒ１、Ｓ１、Ｔ１の接液回転挿入部は、棒状或いはパイプ状の形状が好ましく、酸化力の強い非鉄金属を用いることも可能。また鉄系統の材質を用いる場合は、電解溶解、電解腐食を考慮し電極手段の交換、着脱を目的とする処置を講ずることで保守、作業性を高めることができる。
【００１０】  Ｕは、Ａに超音波を供給し作用させる超音波発生手段を表す。設置形態はＡに超音波を連続的に供給することを目的とする。
【００１１】  Ｒ５、Ｓ５、Ｔ５は、電極手段Ｒ１、Ｓ１、Ｔ１其々を介在する三相交流電力の半波整流手段を表し、それぞれの電極手段及び三相交流電力の半波整流手段Ｒ６、Ｓ６、Ｔ６に三相交流電力の逆流防止手段、Ｒ６、Ｓ６、Ｔ６及びＲ７、Ｓ７、Ｔ７の各々を設け、それぞれに接続させて三相交流電力の半波整流手段を構成させる。
【図面の簡単な説明】
【００１２】
【図１】    特許請求項１、２に関連する実施例（構成図）
【図２】    特許請求項１、２、３に関連する実施例（構成図）
【図３】    特許請求項１、２、３に関連する実施例（構成図）
【図４】    特許請求項１、２、３に関連する実施例（構成図）
【符号の説明】
【００１３】      Ａ        廃水の処理系或いは微生物の生息領域
Ｂ        難分解性有機物を含有する廃水或いは溶液
Ｃ        処理水或いは処理液
Ｄ        微生物の固定手段
Ｅ        濾過膜或いは濾過手段
Ｒ        電極手段を用いる三相交流電源
Ｒ１      電極手段
Ｒ２      電流
Ｒ３      電極手段の回転手段
Ｒ４      電極手段の電磁化手段
Ｒ５      三相交流電力の半波整流手段（電極手段）
Ｒ６      三相交流電力の逆流防止手段或いは半導体
Ｒ７      三相交流電力の逆流防止手段或いは半導体
Ｓ        電極手段を用いる三相交流電源
Ｓ１      電極手段
Ｓ２      電流
Ｓ３      電極手段の回転手段
Ｓ４      電極手段の電磁化手段
Ｓ５      三相交流電力の半波整流手段（電極手段）
Ｓ６      三相交流電力の逆流防止手段或いは半導体
Ｓ７      三相交流電力の逆流防止手段或いは半導体
Ｔ        電極手段を用いる三相交流電源
Ｔ１      電極手段
Ｔ２      電流
Ｔ３      電極手段の回転手段
Ｔ４      電極手段の電磁化手段
Ｔ５      三相交流電力の半波整流手段（電極手段）
Ｔ６      三相交流電力の逆流防止手段或いは半導体
Ｔ７      三相交流電力の逆流防止手段或いは半導体
Ｕ        超音波発生手段
【図１】
2008119674.tif 000003
【図２】
2008119674.tif 000004
【図３】
2008119674.tif 000005
【図４】
2008119674.tif 000006